(57)【特許請求の範囲】
【請求項１】
音声情報を送受信する電話端末と画像情報を送受信するファックス端末とに接続され、上記電話端末と上記ファックス端末とのいずれか一方より送信先を特定する電話番号を入力されるアダプタであって、
電話番号によって通信を行う第一の通信回線と接続する第一の通信回線インタフェースと、
通信網上のアドレスを示す識別子によって通信先を識別する第二の通信回線と接続する第二の通信回線インタフェースと、
所定の電話番号と上記所定の電話番号に対応する上記識別子とを含む電話番号情報を記憶するメモリと、
上記入力された電話番号を用いて上記メモリに記憶された電話番号情報を検索し、入力された電話番号と一致する電話番号を含む電話番号情報を検出した場合は、第二の通信回線インタフェースを通信要求回線インタフェースとして選択し、入力された電話番号と一致する電話番号を含む電話番号情報を検出しない場合は、第一の通信回線インタフェースを通信要求回線インタフェースとして選択する制御部と、
上記制御部が選択した通信要求回線インタフェースと、上記電話端末と上記ファックス端末とのいずれか一方とを接続するセレクタと
を備えたことを特徴とするアダプタ。
【請求項２】
上記アダプタは、さらに、上記電話端末と接続する電話端末インタフェースと、
上記ファックス端末と接続するファックス端末インタフェースとを備え、
上記セレクタは、上記電話端末から電話番号が入力された場合は、電話端末インタフェースを通信要求端末インタフェースとして選択し、ファックス端末から電話番号が入力された場合は、ファックス端末インタフェースを通信要求端末インタフェースとして選択し、選択された通信要求端末インタフェースと、上記制御部により選択された通信要求回線インタフェースとを接続することを特徴とする請求項１記載のアダプタ。
【請求項３】
上記アダプタは、電話端末とファックス端末とのいずれか一方との通信を要求する通信要求信号を、上記第一の通信回線インタフェースと上記第二の通信回線インタフェースとのいずれか一方を介して受信し、上記通信要求信号を受信した上記第一の通信回線インタフェースと上記第二の通信回線インタフェースとのいずれか一方を通信要求回線インタフェースとし、
上記通信要求回線インタフェースは、受信された通信要求信号に基づいて電話端末インタフェースとファックス端末インタフェースとのいずれか一方を通信要求端末インタフェースとして選択し、
上記セレクタは、選択された通信要求端末インタフェースと、上記通信要求回線インタフェースとを接続することを特徴とする請求項２記載のアダプタ。
【請求項４】
上記アダプタは、
上記電話端末と上記ファックス端末とのいずれか一方との通信を要求する通信要求信号を上記第二の通信回線インタフェースを介して受信し、
上記第二の通信回線インタフェースは、
上記セレクタが第一の通信回線インタフェースと電話端末インタフェースとを接続中に、上記電話端末との通信を要求する通信要求信号を受信した場合、受信した通信要求信号の発信元へ上記電話端末が通信中であることを返信し、
上記セレクタが第一の通信回線インタフェースと電話端末インタフェースとを接続中に、上記ファックス端末との通信を要求する通信要求信号を受信した場合、通信要求端末インタフェースとしてファックス端末インタフェースを選択し、
上記セレクタは、選択された通信要求端末インタフェースと上記第二の通信回線インタフェースとを接続することを特徴とする請求項２記載のアダプタ。
【請求項５】
上記アダプタは、
上記電話端末と上記ファックス端末とのいずれか一方との通信を要求する通信要求信号を上記第二の通信回線インタフェースを介して受信し、
上記第二の通信回線インタフェースは、
上記セレクタが第一の通信回線インタフェースとファックス端末インタフェースとを接続中に、上記ファックス端末との通信を要求する通信要求信号を受信した場合、受信した通信要求信号の発信元へ上記ファックス端末が通信中であることを返信し、
上記セレクタが第一の通信回線インタフェースとファックス端末インタフェースとを接続中に、上記電話端末との通信を要求する通信要求信号を受信した場合、通信要求端末インタフェースとして電話端末インタフェースを選択し、
上記セレクタは、選択された通信要求端末インタフェースと上記第二の通信回線インタフェースとを接続することを特徴とする請求項２記載のアダプタ。
【請求項６】
上記アダプタは、
上記電話端末と上記ファックス端末とのいずれか一方との通信を要求する通信要求信号を上記第一の通信回線インタフェースを介して受信し、
上記第一の通信回線インタフェースは、
上記セレクタが第二の通信回線インタフェースと電話端末インタフェースとを接続中に、上記電話端末との通信を要求する通信要求信号を受信した場合、受信した通信要求信号の発信元へ上記電話端末が通信中であることを返信し、
上記セレクタが第二の通信回線インタフェースと電話端末インタフェースとを接続中に、上記ファックス端末との通信を要求する通信要求信号を受信した場合、通信要求端末インタフェースとしてファックス端末インタフェースを選択し、
上記セレクタは、選択された通信要求端末インタフェースと上記第一の通信回線インタフェースとを接続することを特徴とする請求項２記載のアダプタ。
【請求項７】
上記アダプタは、
上記電話端末と上記ファックス端末とのいずれか一方との通信を要求する通信要求信号を上記第一の通信回線インタフェースを介して受信し、
上記第一の通信回線インタフェースは、
上記セレクタが第二の通信回線インタフェースとファックス端末インタフェースとを接続中に、上記ファックス端末との通信を要求する通信要求信号を受信した場合、受信した通信要求信号の発信元へ上記ファックス端末が通信中であることを返信し、
上記セレクタが第二の通信回線インタフェースとファックス端末インタフェースとを接続中に、上記電話端末との通信を要求する通信要求信号を受信した場合、通信要求端末インタフェースとして電話端末インタフェースを選択し、
上記セレクタは、選択された通信要求端末インタフェースと上記第一の通信回線インタフェースとを接続することを特徴とする請求項２記載のアダプタ。
【請求項８】
上記制御部は、上記セレクタが第一の通信回線インタフェースと電話端末インタフェースとを接続中に、上記ファックス端末からファックス端末インタフェースへ上記電話番号が入力された場合、入力された電話番号を用いて上記メモリに記憶された電話番号情報を検索し、入力された電話番号と一致する電話番号を含む電話番号情報を検出しない場合は、上記電話端末が通信中であることをファックス端末インタフェースへ通知し、入力された電話番号と一致する電話番号を含む電話番号情報を検出した場合は、通信要求回線インタフェースとして第二の通信回線インタフェースを選択し、
上記セレクタは、通信要求端末インタフェースとしてファックス端末インタフェースを選択し、選択した通信要求端末インタフェースと選択された通信要求回線インタフェースとを接続することを特徴とする請求項２または３記載のアダプタ。
【請求項９】
上記制御部は、上記セレクタが第一の通信回線インタフェースとファックス端末インタフェースとを接続中に、上記電話端末から電話端末インタフェースへ電話番号が入力された場合、入力された電話番号を用いて上記メモリに記憶された電話番号情報を検索し、入力された電話番号と一致する電話番号を含む電話番号情報を検出しない場合は、上記ファックス端末が通信中であることを電話端末インタフェースへ通知し、入力された電話番号と一致する電話番号を含む電話番号情報を検出した場合は、通信要求回線インタフェースとして第二の通信回線インタフェースを選択し、
上記セレクタは、通信要求端末インタフェースとして電話端末インタフェースを選択し、選択した通信要求端末インタフェースと選択された通信要求回線インタフェースとを接続することを特徴とする請求項２または３記載のアダプタ。
【請求項１０】
上記制御部は、上記セレクタが第二の通信回線インタフェースと電話端末インタフェースとを接続中に、上記ファックス端末からファックス端末インタフェースへ電話番号が入力された場合、通信要求回線インタフェースとして第一の通信回線インタフェースを選択し、
上記セレクタは、通信要求端末インタフェースとしてファックス端末インタフェースを選択し、選択した通信要求端末インタフェースと選択された通信要求回線インタフェースとを接続することを特徴とする請求項２または３記載のアダプタ。
【請求項１１】
上記制御部は、上記セレクタが第二の通信回線インタフェースとファックス端末インタフェースとを接続中に、上記電話端末から電話端末インタフェースへ電話番号が入力された場合、通信要求回線インタフェースとして第一の通信回線インタフェースを選択し、
上記セレクタは、通信要求端末インタフェースとして電話端末インタフェースを選択し、選択した通信要求端末インタフェースと選択された通信要求回線インタフェースとを接続することを特徴とする請求項２または３記載のアダプタ。
【請求項１２】
上記第一の通信回線インタフェースは、第一の通信回線として公衆回線と接続し、
上記第二の通信回線インタフェースは、第二の通信回線としてインターネットプロトコルネットワークと接続すること特徴とする請求項１記載のアダプタ。
【発明の詳細な説明】
【０００１】
【発明の属する技術分野】
ＩＰ（インターネットプロトコル）ネットワーク経由でＦＡＸ送受信中には一般公衆回線経由での一般電話端末への発着信を可能とし、同様に、ＩＰネットワーク経由で通話中には一般公衆回線経由でＦＡＸ送受信を可能とするような自動切替え機能を有することを特徴とした、インターネットＦＡＸ／電話アダプタ装置に関するものである。
【０００２】
【従来の技術】
図１６は、インターネットＦＡＸ／電話アダプタの一例を示す。図１６は、従来のアダプタ２０ｐを示すシステムの全体構成図の一例である。
図１６において、１はＣＰＵ、２はオペレーティング・システム、プログラム等を格納するメモリ、メモリ２に登録されている電話番号は、ＬＡＮ（Ｌｏｃａｌ  Ａｒｅａ  Ｎｅｔｗｏｒｋ）経由で通話可能な電話番号である。３はインターネットプロトコルネットワーク（以下、「ＩＰネットワーク」という）とアダプタ２０ｐを接続するＩＰネットワークＩ／Ｆ（Ｉｎｔｅｒ  Ｆａｃｅ）、５ｐは一般電話端末または一般ＦＡＸ端末とアダプタ２０ｐを接続する電話／ＦＡＸ端末Ｉ／Ｆ、４は一般公衆回線とアダプタ２０ｐを接続する公衆回線Ｉ／Ｆである。
【０００３】
７は、ＩＰネットワークＩ／Ｆ３をとおして、ＩＰネットワークとのデータ入出力制御を行なうＬＡＮコントローラ、８は、電話端末Ｉ／Ｆ４に接続された電話端末への給電、ＲＩＮＧ発生、電話端末の発呼及び着信応答の監視等を行なうアナログＩ／Ｆ、１０は、アナログＩ／Ｆ８からのアナログ音声信号をデジタル変換するＡ／Ｄ変換器と、デジタルデータをアナログＩ／Ｆ８へ送出するために、アナログ変換するＤ／Ａ変換器を備えるコーデック、１２は、コーデック１０を通して入出力される音声信号デジタルデータの変調、復調等の信号処理を行なうＤＳＰ、１３ｐは、電話／ＦＡＸ端末Ｉ／Ｆ５ｐをアナログＩ／Ｆ８と接続するか、公衆回線Ｉ／Ｆ４と接続するかを切替えるセレクタである。
【０００４】
次に、動作について説明する。
セレクタ１３ｐは、通常、待ち受け時には、電話／ＦＡＸ端末Ｉ／Ｆ５ｐと公衆回線Ｉ／Ｆ４が接続されている。電話端末Ｉ／Ｆ４に接続された電話端末から、発信を行ない通話をする場合、まず、発呼された電話端末からの電話番号と、予めメモリ２に登録された電話番号とを比較する。
比較の結果、今回発信に使用された電話番号がメモリ２に登録された電話番号と一致しなかった場合、セレクタ１３ｐにより電話端末は公衆回線に接続されているので、公衆回線を通して発信、呼び出しが行われ、公衆回線経由での通話が可能となる。
【０００５】
次に、発呼された電話番号がＬＡＮ経由で通話可能な番号であった場合、つまり、メモリ２に登録された電話番号と一致した場合は、まず、セレクタ１３ｐを電話端末Ｉ／Ｆ４とアナログＩ／Ｆ８との接続状態に切替える。
その後、ＩＰネットワークＩ／Ｆ３に接続されたＩＰネットワーク経由での通話を可能とするために、ＬＡＮコントローラ７を制御し、通信を確立する。
メモリ２内には、電話番号に対応するＩＰアドレスが登録されており、相手先ＩＰアドレスに存在するもう一台のアダプタ２０ｐとの間で通信が確立される。
この後、アダプタ２０ｐから相手方アダプタに対して発呼要求が出される。
【０００６】
発呼要求を受けた相手方アダプタでは、その相手方アダプタの電話端末Ｉ／Ｆ４に接続された電話端末が未通話状態であることをオンフック状態であることにより確認し、アナログＩ／Ｆ８を制御して、電話端末に対してＲＩＮＧを発信し、電話端末を呼び出す。
相手方電話端末の受話器が取られたことを、オフフック信号を受信することで検出した相手方アダプタは、本アダプタに対し通話可能であることを通知し、通話可能状態が確立される。
【０００７】
以後、アダプタ２０ｐに接続された電話端末からの音声信号は、アナログＩ／Ｆ８で２線／４線変換を受け、コーデック１０でデジタル化され、ＤＳＰ１２により圧縮等の信号処理を受け、ＬＡＮコントローラ７からＩＰネットワークを通して、相手方アダプタに送られる。
相手方アダプタでは、上記の処理と逆の流れにより、デジタルデータからアナログ音声に復調され、電話端末より音声が発生される。
また、音声の送信と受信は順次処理され、双方向通話を可能とする。
【０００８】
以上、電話端末による音声通話について説明したが、ＦＡＸ送受信についても、同様の手順にて、公衆回線またはＩＰネットワーク経由でＦＡＸ送受信が行われる。
【０００９】
【発明が解決しようとする課題】
従来の機器は以上のように構成されているため、ＩＰネットワーク経由で通話またはＦＡＸ送受信中は公衆回線が未使用であるにもかかわらず、また、公衆回線経由で通話またはＦＡＸ送受信中にはＩＰネットワークが未使用であるにもかかわらず、同時に使用することができないという問題が発生し、通信回線を有効に使用することができなかった。
【００１０】
従来の機器を使用して、この問題を解決しようとすると、例えば、機器に電話端末とＩＰネットワークのみ接続し、公衆回線にＦＡＸをつなぐことで解決できるが、この接続では公衆回線による通話と、ＩＰネットワーク経由でのＦＡＸ送受信ができなくなる、または、人手によって接続をつなぎ変えなければならないなどの新たな問題が発生し、ユーザに不便をかけてしまう。
【００１１】
さらに、上記の問題をも従来の機器で解決しようとすると、２台の機器を用意して、１台に電話端末を、１台にＦＡＸを接続し、ＩＰネットワークと公衆回線をそれぞれに同時に接続することで解決できるが、２台のアダプタを使用することとなり、コストの増大を招くという問題が発生する。
【００１２】
この発明は、上記のような問題点を解消するためになされたもので、一般電話端末及び一般ＦＡＸ端末を１系統づつ接続可能で、それぞれの音声通話、あるいは、ＦＡＸ送受信を、公衆回線経由またはＩＰネットワーク経由で実現可能なことに加え、電話端末によりＩＰネットワーク経由で通話中に、同時に、公衆回線経由によりＦＡＸ送受信を可能とし、あるいは、ＦＡＸ端末によりＩＰネットワーク経由でＦＡＸ送受信の実行中に、同時に、公衆回線経由で音声通話を可能とすることのできるインターネットＦＡＸ／電話アダプタを得ることを目的としている。
【００１３】
【課題を解決するための手段】
この発明に係るアダプタは、音声情報を送受信する電話端末と画像情報を送受信するファックス端末とに接続されたアダプタであって、
電話番号によって通信を行う第一の通信回線と接続する第一の通信回線インタフェースと、
通信網上のアドレスを示す識別子によって通信先を識別する第二の通信回線と接続する第二の通信回線インタフェースと、
電話端末と接続する電話端末インタフェースと、
ファックス端末と接続するファックス端末インタフェースと、
第一の通信回線インタフェースと第二の通信回線インタフェースとのいずれか一方と、電話端末インタフェースとファックス端末インタフェースとのいずれか一方とを接続するセレクタと、
上記セレクタを制御する制御部と
を備えたことを特徴とする。
【００１４】
上記アダプタは、電話端末とファックス端末とのいずれか一方より送信先を特定する電話番号を入力され、
上記制御部は、入力された電話番号に基づいて、第一の通信回線インタフェースと第二の通信回線インタフェースのいずれか一方を通信要求回線インタフェースとして選択し、
上記セレクタは、電話端末から電話番号が入力された場合は、電話端末インタフェースを通信要求端末インタフェースとして選択し、ファックス端末から電話番号が入力された場合は、ファックス端末インタフェースを通信要求端末インタフェースとして選択し、選択された通信要求端末インタフェースと、上記制御部により選択された通信要求回線インタフェースとを接続することを特徴とする。
【００１５】
上記アダプタは、さらに、電話番号と上記電話番号に対応する識別子とを含む電話番号情報を記憶するメモリを備え、
上記制御部は、入力された電話番号を用いて上記メモリに記憶された電話番号情報を検索し、入力された電話番号と一致する電話番号を含む電話番号情報を検出した場合は、第二の通信回線インタフェースを通信要求回線インタフェースとして選択し、入力された電話番号と一致する電話番号を含む電話番号情報を検出しない場合は、第一の通信回線インタフェースを通信要求回線インタフェースとして選択することを特徴とする。
【００１６】
上記アダプタは、電話端末とファックス端末とのいずれか一方との通信を要求する通信要求信号を、上記第一の通信回線インタフェースと上記第二の通信回線インタフェースとのいずれか一方を介して受信し、上記通信要求信号を受信した上記第一の通信回線インタフェースと上記第二の通信回線インタフェースとのいずれか一方を通信要求回線インタフェースとし、
上記通信要求回線インタフェースは、受信された通信要求信号に基づいて電話端末インタフェースとファックス端末インタフェースとのいずれか一方を通信要求端末インタフェースとして選択し、
上記セレクタは、選択された通信要求端末インタフェースと、上記通信要求回線インタフェースとを接続することを特徴とする。
【００１７】
上記第二の通信回線インタフェースは、
上記セレクタが第一の通信回線インタフェースと電話端末インタフェースとを接続中に、電話端末との通信を要求する通信要求信号を受信した場合、通信要求信号の発信元へ電話端末が通信中であることを返信し、
上記セレクタが第一の通信回線インタフェースと電話端末インタフェースとを接続中に、ファックス端末との通信を要求する通信要求信号を受信した場合、通信要求端末インタフェースとして第二の通信回線インタフェースを選択し、通信要求回線インタフェースとしてファックス端末インタフェースを選択し、
上記セレクタは、選択された通信要求端末インタフェースと選択された通信要求回線インタフェースとを接続することを特徴とする。
【００１８】
上記第二の通信回線インタフェースは、
上記セレクタが第一の通信回線インタフェースとファックス端末インタフェースとを接続中に、ファックス端末との通信を要求する通信要求信号を受信した場合、通信要求信号の発信元へファックス端末が通信中であることを返信し、
上記セレクタが第一の通信回線インタフェースとファックス端末インタフェースとを接続中に、電話端末との通信を要求する通信要求信号を受信した場合、通信要求端末インタフェースとして第二の通信回線インタフェースを選択し、通信要求回線インタフェースとして電話端末インタフェースを選択し、
上記セレクタは、選択された通信要求端末インタフェースと選択された通信要求回線インタフェースとを接続することを特徴とする。
【００１９】
上記第一の通信回線インタフェースは、
上記セレクタが第二の通信回線インタフェースと電話端末インタフェースとを接続中に、電話端末との通信を要求する通信要求信号を受信した場合、通信要求信号の発信元へ電話端末が通信中であることを返信し、
上記セレクタが第二の通信回線インタフェースと電話端末インタフェースとを接続中に、ファックス端末との通信を要求する通信要求信号を受信した場合、通信要求端末インタフェースとして第一の通信回線インタフェースを選択し、通信要求回線インタフェースとしてファックス端末インタフェースを選択し、
上記セレクタは、選択された通信要求端末インタフェースと選択された通信要求回線インタフェースとを接続することを特徴とする。
【００２０】
上記第一の通信回線インタフェースは、
上記セレクタが第二の通信回線インタフェースとファックス端末インタフェースとを接続中に、ファックス端末との通信を要求する通信要求信号を受信した場合、通信要求信号の発信元へファックス端末が通信中であることを返信し、
上記セレクタが第二の通信回線インタフェースとファックス端末インタフェースとを接続中に、電話端末との通信を要求する通信要求信号を受信した場合、通信要求端末インタフェースとして第一の通信回線インタフェースを選択し、通信要求回線インタフェースとして電話端末インタフェースを選択し、
上記セレクタは、選択された通信要求端末インタフェースと選択された通信要求回線インタフェースとを接続することを特徴とする。
【００２１】
上記アダプタは、さらに、電話番号と上記電話番号に対応する識別子とを含む電話番号情報を記憶するメモリを備えたことを特徴とする。
【００２２】
上記制御部は、上記セレクタが第一の通信回線インタフェースと電話端末インタフェースとを接続中に、ファックス端末からファックス端末インタフェースへ電話番号が入力された場合、入力された電話番号を用いて上記メモリに記憶された電話番号情報を検索し、入力された電話番号と一致する電話番号を含む電話番号情報を検出しない場合は、電話端末が通信中であることをファックス端末インタフェースへ通知し、入力された電話番号と一致する電話番号を含む電話番号情報を検出した場合は、通信要求回線インタフェースとして第二の通信回線インタフェースを選択し、通信要求端末インタフェースとしてファックス端末インタフェースを選択し、
上記セレクタは、選択された通信要求端末インタフェースと選択された通信要求回線インタフェースとを接続することを特徴とする。
【００２３】
上記制御部は、上記セレクタが第一の通信回線インタフェースとファックス端末インタフェースとを接続中に、電話端末から電話端末インタフェースへ電話番号が入力された場合、入力された電話番号を用いて上記メモリに記憶された電話番号情報を検索し、入力された電話番号と一致する電話番号を含む電話番号情報を検出しない場合は、ファックス端末が通信中であることを電話端末インタフェースへ通知し、入力された電話番号と一致する電話番号を含む電話番号情報を検出した場合は、通信要求回線インタフェースとして第二の通信回線インタフェースを選択し、通信要求端末インタフェースとしてファックス端末インタフェースを選択し、
上記セレクタは、選択された通信要求端末インタフェースと選択された通信要求回線インタフェースとを接続することを特徴とする。
【００２４】
上記制御部は、上記セレクタが第二の通信回線インタフェースと電話端末インタフェースとを接続中に、ファックス端末からファックス端末インタフェースへ電話番号が入力された場合、通信要求回線インタフェースとして第一の通信回線インタフェースを選択し、通信要求端末インタフェースとしてファックス端末インタフェースを選択し、
上記セレクタは、選択された通信要求端末インタフェースと選択された通信要求回線インタフェースとを接続することを特徴とする。
【００２５】
上記制御部は、上記セレクタが第二の通信回線インタフェースとファックス端末インタフェースとを接続中に、電話端末から電話端末インタフェースへ電話番号が入力された場合、通信要求回線インタフェースとして第一の通信回線インタフェースを選択し、通信要求端末インタフェースとして電話端末インタフェースを選択し、
上記セレクタは、選択された通信要求端末インタフェースと選択された通信要求回線インタフェースとを接続することを特徴とする。
【００２６】
上記第一の通信回線インタフェースは、第一の通信回線として公衆回線と接続し、
上記第二の通信回線インタフェースは、第二の通信回線としてインターネットプロトコルネットワークと接続すること特徴とする。
【００２７】
【発明の実施の形態】
実施の形態１．
図１に、この発明のアダプタ２０の構成の一例を示す。
１は、制御部（ＣＰＵ）である。
２は、オペレーティング・システム、プログラム等を格納するメモリである。３は、ＩＰネットワークとアダプタ２０を接続するＩＰネットワークＩ／Ｆ（第二の通信回線インタフェース）である。
４は、一般公衆回線とアダプタ２０を接続する公衆回線Ｉ／Ｆ（第一の通信回線インタフェース）である。
５は、一般電話端末とアダプタ２０を接続する電話端末インタフェース（電話端末Ｉ／Ｆ）である。
６は、一般ファックス（ＦＡＸ）端末とアダプタ２０を接続するファックス端末インタフェース（ファックス端末Ｉ／Ｆ、ＦＡＸ端末Ｉ／Ｆとも記す）である。
【００２８】
７は、ＩＰネットワークＩ／Ｆ３を通して、ＩＰネットワークとのデータ入出力制御を行なうＬＡＮコントローラである。
８は、電話端末Ｉ／Ｆ５及びＦＡＸ端末Ｉ／Ｆ６のＲＩＮＧ発生、端末の発呼及び着信応答の監視等を行なうアナログＩ／Ｆである。
１０は、アナログＩ／Ｆ８からのアナログ音声信号をデジタル変換するＡ／Ｄ変換器と、デジタルデータをアナログＩ／Ｆ８へ送出するために、アナログ変換するＤ／Ａ変換器を備えるコーデックである。
１２は、コーデック１０をと通して入出力される音声信号デジタルデータの変調、復調等の信号処理を行なうデジタルシグナル制御部（ＤＳＰ）である。
１３は、電話端末Ｉ／Ｆ５及びＦＡＸ端末Ｉ／Ｆ６をアナログＩ／Ｆ８と接続するか、公衆回線Ｉ／Ｆ４と接続するかを切替えるセレクタである。
セレクタ１３は、制御部（ＣＰＵ）１による制御を受ける。
【００２９】
アダプタ２０は、音声情報を送受信する電話端末と画像情報を送受信するファックス端末とに接続され、また、電話番号によって通信を行う第一の通信回線と接続する第一の通信回線インタフェースと、通信網上のアドレスを示す識別子によって通信先を識別する第二の通信回線と接続する第二の通信回線インタフェースとに接続される。
【００３０】
また、この実施の形態では、第一の通信回線として、公衆回線を一例とし、第二の通信回線としてインターネットプロトコルネットワークを一例として説明する。
従って、第一の通信回線インタフェースとして公衆回線Ｉ／Ｆ４、第二の通信回線インタフェースとしてＩＰネットワークＩ／Ｆ３を一例として説明する。
しかしながら、上記に限られるわけではなく、第一の回線は、電話番号によって通信を行う通信回線であればよく、企業等で敷設している専用線であっても構わない。
また、第二の通信回線は、通信網上のアドレスを示す識別子によって通信先を識別する通信回線であればよい。
【００３１】
以下に、アダプタ２０の送信時及び受信時の動作の概略を説明する。
アダプタ２０から送信する場合、アダプタ２０は、電話端末とファックス端末とのいずれか一方より送信先を特定する電話番号を入力される。
制御部１は、入力された電話番号に基づいて、公衆回線Ｉ／Ｆ（第一の通信回線インタフェース）４とＩＰネットワークＩ／Ｆ（第二の通信回線インタフェース）３とのいずれか一方を通信要求回線インタフェースとして選択する。
【００３２】
セレクタ１３は、電話端末から電話番号が入力された場合は、電話端末Ｉ／Ｆ５を通信要求端末インタフェースとして選択し、ファックス端末から電話番号が入力された場合は、ファックス端末Ｉ／Ｆ６を通信要求端末インタフェースとして選択する。次に、セレクタ１３は、選択された通信要求端末インタフェースと、制御部１により選択された通信要求回線インタフェースとを接続することによって、通信を可能とする。
【００３３】
次に、アダプタ２０によって、外部から通信を要求する通信要求信号を受信する場合について説明する。
アダプタ２０は、電話端末とファックス端末とのいずれか一方との通信を要求する通信要求信号を、公衆回線Ｉ／Ｆ４とＩＰネットワークＩ／Ｆ３とのいずれか一方によって受信する。
通信要求信号を受信した公衆回線Ｉ／Ｆ４とＩＰネットワークＩ／Ｆ３とのいずれか一方を通信要求回線インタフェースとする。
【００３４】
通信要求回線インタフェースは、受信された通信要求信号に基づいて電話端末Ｉ／Ｆ５とファックス端末Ｉ／Ｆ６とのいずれか一方を通信要求端末インタフェースとして選択する。
セレクタ１３は、選択された通信要求端末インタフェースと、上記通信要求回線インタフェースとを接続することによって通信を可能とする。
【００３５】
以下、この実施の形態のアダプタ２０の動作を図２から図１５を用いて説明する。
電話端末Ｉ／Ｆ５に接続された電話端末から、発信を行ない通話をする場合を図２を用いて説明する。
まず、電話端末の受話器が取り上げられたことをオフフック状態になることを監視することで検出する（Ｓ１１）。
電話端末のオフフックを検出した後、セレクタ１３を切替え（Ｓ１２）、電話端末Ｉ／Ｆ５と公衆回線Ｉ／Ｆ４とを接続する。
【００３６】
次に、電話端末では相手先電話番号が発呼される。このとき、発呼された電話端末からの電話番号をメモリ２に取り込み（Ｓ１３）、予めメモリ２に登録された電話番号（Ｓ１４）と比較する（Ｓ１５）。
メモリ２に登録されている電話番号は、ＬＡＮ経由で通話可能な電話番号である。
【００３７】
比較の結果、今回発信に使用された電話番号がメモリ２に登録された電話番号と一致しなかった場合（Ｓ１６でＮｏ）、セレクタ１３により電話端末は公衆回線に接続されているので、公衆回線を通して発信、呼び出しが行われ（Ｓ２０）、公衆回線経由での通話が可能となる（Ｓ３１）。
【００３８】
以上のような電話端末による公衆回線経由の通話中に、ＦＡＸ端末との通信要求信号を受信した場合を図３を用いて説明する。
電話端末による公衆回線経由の通話中に（Ｓ３１）、ＩＰネットワーク経由で相手先アダプタよりＦＡＸ送信要求が送られてきた場合（Ｓ３２でＹｅｓ）、まず、アダプタ２０のＦＡＸ端末Ｉ／Ｆ６に接続されたＦＡＸ端末が未使用状態であることを、オンフックであることを検出することにより確認する（Ｓ３３）。
【００３９】
ＦＡＸがオフフックで使用中であった場合（Ｓ３３でＮｏ）、相手先アダプタにビジーステータスを返し、現在、ＦＡＸ端末が使用中であることを伝え、相手先アダプタは、接続されたＦＡＸ端末に対し話し中を示す音声信号を発信し、処理を終える（Ｓ３８）。
ＦＡＸがオンフックで未使用の場合（Ｓ３３でＹｅｓ）、まず、セレクタ１３によりＦＡＸ端末Ｉ／Ｆ６とアナログＩ／Ｆ８を接続する（Ｓ３４）。次に、ＦＡＸ端末に対しＲＩＮＧを発信し、接続状態とする（Ｓ３５）。
【００４０】
ＦＡＸ端末が接続状態となった後、相手先アダプタに対し送信許可信号を送る（Ｓ３６）。
以後、相手先アダプタよりＩＰネットワーク経由で送信されたデータをＩＰネットワークＩ／Ｆ３より受け取り、ＬＡＮコントローラ７を介してＦＡＸデータとして取り込み、このデジタルデータをＤＳＰ１２で変換した後、コーデック１０でアナログデータに戻し、アナログＩ／Ｆ８を介してＦＡＸ端末Ｉ／Ｆ６に接続されたＦＡＸ端末に送ることで、ＦＡＸデータの受信を行なう（Ｓ３７）。
【００４１】
このときのセレクタ１３の接続状態を図４に示す。
以上の処理により、電話端末による公衆回線経由の通話中に（Ｓ３１）、ＩＰネットワーク経由でのＦＡＸ受信を可能とする。
【００４２】
また、電話端末による公衆回線経由の通話中に（Ｓ３１）、相手先アダプタより通話要求が送られてきた場合、アダプタ２０の電話端末は使用中であるため、相手先アダプタにビジーステータスを返し、現在、話し中であることを伝え、相手先アダプタは、接続された電話端末に対し話し中を示す音声信号を発信し、処理を終える。
【００４３】
次に、今回発信に使用された電話番号とメモリ２に登録された電話番号が一致する（電話端末によるＩＰネットワーク経由の通話）場合（Ｓ１６でＹｅｓ）について図２を用いて説明する。
電話端末によるＩＰネットワーク経由の通話の場合（Ｓ１６でＹｅｓ）は、電話端末による公衆回線経由の通話処理で、発呼された電話番号の比較まで同様に処理され（Ｓ１１〜Ｓ１５）、発呼された電話番号がＬＡＮ経由で通話可能な番号であった場合、つまり、メモリ２に登録された電話番号と一致したことで（Ｓ１６でＹｅｓ）実現される。
【００４４】
まず、セレクタ１３を電話端末Ｉ／Ｆ５とアナログＩ／Ｆ８との接続状態に切替える（Ｓ１８）。
その後、ＩＰネットワークＩ／Ｆ３に接続されたＩＰネットワーク経由での通話を可能とするために、ＬＡＮコントローラ７を制御し、通信を確立する（Ｓ１９）。
メモリ２内には、電話番号に対応するＩＰアドレスが登録されており（Ｓ１７）、相手先ＩＰアドレスに存在するもう一台のアダプタ２０との間で通信が確立される。
この後、アダプタ２０から相手方アダプタに対して発呼要求が出される（Ｓ１９）。
【００４５】
発呼要求を受けた相手方アダプタでは、その相手方アダプタの電話端末Ｉ／Ｆ５に接続された電話端末が未通話状態であることをオンフック状態であることにより確認し、アナログＩ／Ｆ８を制御して電話端末に対してＲＩＮＧを発信し、電話端末を呼び出す。
【００４６】
相手方電話端末の受話器が取られたことをオフフック信号を受信することで、検出した相手方アダプタは、本アダプタに対し通話可能であることを通知し、通話可能状態が確立される（Ｓ５１）。
以後、アダプタ２０に接続された電話端末からの音声信号は、アナログＩ／Ｆ８で２線／４線変換を受け、コーデック１０でデジタル化され、ＤＳＰ１２により圧縮等の信号処理を受け、ＬＡＮコントローラ７からＩＰネットワークを通して、相手方アダプタに送られる。
【００４７】
相手方アダプタでは、上記の処理と逆の流れにより、デジタルデータからアナログ音声に復調され、電話端末より音声が発生される。
また、音声の送信と受信は順次処理され、双方向通話を可能とする。
【００４８】
以上のような電話端末によるＩＰネットワーク経由の通話中に、ＦＡＸ端末との通信要求信号を受信した場合を図５を用いて説明する。
電話端末によるＩＰネットワーク経由の通話中に（Ｓ５１）、公衆回線経由でＦＡＸ送信要求が送られてきた場合（Ｓ５２）、まず、アダプタ２０のＦＡＸ端末Ｉ／Ｆ６に接続されたＦＡＸ端末が未使用状態であることをオンフックであることを検出することにより、確認する（Ｓ５３）。
ＦＡＸがオフフックで使用中であった場合（Ｓ５３でＮｏ）、話し中を示す音声信号を発信し、処理を終える（Ｓ５７）。
ＦＡＸがオンフックで未使用の場合（Ｓ５３でＹｅｓ）、まず、セレクタ１３によりＦＡＸ端末Ｉ／Ｆ６と公衆回線Ｉ／Ｆ４を接続状態とする（Ｓ５４）。
【００４９】
以後、相手先ＦＡＸとＦＡＸ端末Ｉ／Ｆ６に接続されたＦＡＸ端末との間でネゴシエーションが行われ（Ｓ５５）、ＦＡＸデータの受信を行なう（Ｓ５６）。このときのセレクタ１３の接続状態を図６に示す。
以上の処理により、電話端末によるＩＰネットワーク経由の通話中に、公衆回線経由でのＦＡＸ受信を可能とする。
【００５０】
この電話端末によるＩＰネットワーク経由の通話中に（Ｓ５１）、ＩＰネットワーク経由で相手先アダプタより通話要求が送られてきた場合、アダプタ２０の電話端末は使用中であるため、相手先アダプタにビジーステータスを返し、現在、話し中であることを伝え、相手先アダプタは、接続された電話端末に対し話し中を示す音声信号を発信し、処理を終える。
【００５１】
電話端末による公衆回線経由の通話中に（Ｓ３１）、本アダプタに接続されたＦＡＸ端末より送信する場合について図７を用いて説明する。
まず、オフフック状態なることを監視することで、ＦＡＸ端末からＦＡＸ送信が開始されることを検出する（Ｓ１０１）。
次に、ＦＡＸ端末で相手先電話番号が発呼される。このとき、発呼されたＦＡＸ端末からの電話番号（Ｓ１０２）と、予めメモリ２に登録された電話番号（Ｓ１０３）とを比較する（Ｓ１０４）。メモリ２に登録されている電話番号は、ＬＡＮ経由で通話可能な電話番号である。
比較の結果、今回発信に使用された電話番号がメモリ２に登録された電話番号と一致しなかった場合（Ｓ１０５でＮｏ）、ＦＡＸ端末に話し中を示す音声信号を発信し（Ｓ１０６）、処理を終える。
【００５２】
また、比較の結果、メモリ２に登録された電話番号と一致した場合（Ｓ１０５でＹｅｓ）、セレクタ１３をＦＡＸ端末Ｉ／Ｆ６とアナログＩ／Ｆ８との接続状態に切替える（Ｓ１０８）。
その後、ＩＰネットワークＩ／Ｆ３に接続されたＩＰネットワーク経由でのＦＡＸ送信を可能とするためにＬＡＮコントローラ７を制御し、通信を確立する（Ｓ１０９）。
メモリ２内には、電話番号に対応するＩＰアドレスが登録されており（Ｓ１０７）、相手先ＩＰアドレスに存在するもう１台のアダプタ２０との間で通信が確立され（Ｓ１０９）、ＦＡＸ送信が可能となる（Ｓ１１０）。
【００５３】
電話端末によるＩＰネットワーク経由の通話中に、本アダプタに接続されたＦＡＸ端末より送信する場合（Ｓ５１）について図８を用いて説明する。
まず、オフフック状態になることを監視することで、ＦＡＸ端末からＦＡＸ送信が開始されることを検出する（Ｓ１１１）。
次に、ＦＡＸ端末で相手先電話番号が発呼される。発呼されたＦＡＸ端末からの電話番号（Ｓ１１２）と、予めメモリ２に登録された電話番号（Ｓ１１３）とを比較し（Ｓ１１４）、比較の結果、メモリ２に登録された電話番号と一致した場合（Ｓ１１５でＹｅｓ）、ＦＡＸ端末に話し中を示す音声信号を発信し（Ｓ１１６）、処理を終える。
また、比較の結果、メモリ２に登録された電話番号と一致しなかった場合（Ｓ１１５でＮｏ）、公衆回線経由でＦＡＸ送信を可能とする（Ｓ１１７，Ｓ１１８）。
【００５４】
また、電話端末で通話中でない場合にＦＡＸを受信する場合（公衆回線、ＩＰネットワークともに未使用の場合）は、図３のＳ３２〜Ｓ３８、または、図４のＳ５２〜Ｓ５７と同様の手順によって相手先からのＦＡＸを受信することができる。
【００５５】
次に、ＦＡＸ端末からのＦＡＸ送信する場合の動作を図９を用いて説明する。
ＦＡＸ端末Ｉ／Ｆ６に接続されたＦＡＸ端末から発信を行ないＦＡＸ送信をする場合、まず、オフフック状態になることを監視することでＦＡＸ端末からＦＡＸ送信が開始されることを検出する（Ｓ６１）。
【００５６】
ＦＡＸ端末のオフフックを検出した後、セレクタ１３を切替え（Ｓ６２）、ＦＡＸ端末Ｉ／Ｆ６と公衆回線Ｉ／Ｆ４とを接続する。
次に、ＦＡＸ端末で相手先電話番号が発呼される。このとき、発呼されたＦＡＸ端末からの電話番号とをメモリ２に取り込み（Ｓ６３）、予めメモリ２に登録された電話番号（Ｓ６４）と比較する（Ｓ６５）。
メモリ２に登録されている電話番号は、ＬＡＮ経由で通話可能な電話番号である。
【００５７】
比較の結果、今回発信に使用された電話番号がメモリ２に登録された電話番号と一致しなかった場合（Ｓ６６でＮｏ）、セレクタ１３により電話端末は公衆回線に接続されているので公衆回線を通して発信、呼び出しが行われ（Ｓ７０）、公衆回線経由でのＦＡＸ送信が可能となる（Ｓ８１）。
【００５８】
以上のような、ＦＡＸ端末による公衆回線経由のＦＡＸ送信中に、電話端末との通信要求信号を受信した場合を図１０を用いて説明する。
ＦＡＸ端末による公衆回線経由のＦＡＸ送信中に（Ｓ８１）、ＩＰネットワーク経由で相手先アダプタより、音声通話要求が送られてきた場合（Ｓ８２でＹｅｓ）、まず、アダプタ２０の電話端末Ｉ／Ｆ５に接続された電話端末が未使用状態であることをオンフックであることを検出することにより、確認する（Ｓ８３）。
【００５９】
電話端末がオフフックで使用不能であった場合（Ｓ８３でＮｏ）、相手先アダプタにビジーステータスを返し、現在、電話端末が使用中であることを伝え、相手先アダプタは、接続された電話端末に対し話し中を示す音声信号を発信し、処理を終える（Ｓ８８）。
電話端末がオンフックで未使用の場合（Ｓ８３でＹｅｓ）、まず、セレクタ１３により電話端末Ｉ／Ｆ５とアナログＩ／Ｆ８を接続する（Ｓ８４）。次に、電話端末に対しＲＩＮＧを発信し、接続状態とする（Ｓ８５）。
【００６０】
電話端末が接続状態となった後、相手先アダプタに対し通話許可信号を送る（Ｓ８６）。
以後、相手先アダプタに接続された電話端末との間で、双方向通話を可能とする（Ｓ８７）。
このときのセレクタ１３の接続状態を図１１に示す。
以上の処理により、ＦＡＸ端末による公衆回線経由のＦＡＸ送信中に、ＩＰネットワーク経由での音声通話を可能とする。
【００６１】
また、ＦＡＸ端末による公衆回線経由のＦＡＸ送信中に（Ｓ８１）、相手先アダプタよりＦＡＸ送信要求が送られてきた場合、アダプタ２０のＦＡＸ端末は使用中であるため、相手先アダプタにビジーステータスを返し、現在、使用中であることを伝え、相手先アダプタは、接続されたＦＡＸ端末に対し話し中を示す音声信号を発信し、処理を終える。
【００６２】
次に、発信に使用された電話番号がメモリ２に登録された電話番号と一致するＦＡＸ端末によるＩＰネットワーク経由のＦＡＸ送信の場合（Ｓ６６でＹｅｓ）について、図９を用いて説明する。
ＦＡＸ端末によるＩＰネットワーク経由のＦＡＸ送信の場合（Ｓ６６でＹｅｓ）は、ＦＡＸ端末による公衆回線経由のＦＡＸ送信処理で、発呼された電話番号の比較まで同様に処理され（Ｓ６１〜Ｓ６５）、発呼された電話番号がＬＡＮ経由で通話可能な番号であった場合、つまり、メモリ２に登録された電話番号と一致したことで（Ｓ６６でＹｅｓ）、実現される。
【００６３】
まず、セレクタ１３をＦＡＸ端末Ｉ／Ｆ６とアナログＩ／Ｆ８との接続状態に切替える（Ｓ６８）。
その後、ＩＰネットワークＩ／Ｆ３に接続されたＩＰネットワーク経由でのＦＡＸ送信を可能とするために、ＬＡＮコントローラ７を制御し、通信を確立する（Ｓ６９）。
メモリ２内には、電話番号に対応するＩＰアドレスが登録されており（Ｓ６７）、相手先ＩＰアドレスに存在するもう一台のアダプタ２０との間で通信が確立される。
この後、アダプタ２０から相手方アダプタに対して発呼要求が出される（Ｓ６９）。
【００６４】
発呼要求を受けた相手方アダプタでは、その相手方アダプタのＦＡＸ端末Ｉ／Ｆ６に接続されたＦＡＸ端末が未通話状態であることをオンフック状態であることにより確認し、アナログＩ／Ｆ８を制御して、ＦＡＸ端末に対してＲＩＮＧを発信し、ＦＡＸ端末を呼び出す。
【００６５】
相手方ＦＡＸ端末のオフフック信号を検出した相手方アダプタは、本アダプタに対し通話可能であることを通知し、ＦＡＸ送信可能状態が確立される（Ｓ９１）。
以後、アダプタ２０に接続されたＦＡＸ端末からの音声データ信号は、アナログＩ／Ｆ８で２線／４線変換を受け、コーデック１０でデジタル化され、ＤＳＰ１２により圧縮等の信号処理を受け、ＬＡＮコントローラ７からＩＰネットワークを通して、相手方アダプタに送られる。
【００６６】
相手方アダプタでは、上記の処理と逆の流れにより、デジタルデータからアナログ音声信号に復調され、ＦＡＸ端末に音声データとして送られる。
また、音声データの送信と受信は順次処理され、双方向通話を可能とする。
【００６７】
以上のようなＦＡＸ端末によるＩＰネットワーク経由のＦＡＸ送受信中に電話端末との通信要求信号を受信した場合を図１１を用いて説明する。
ＦＡＸ端末によるＩＰネットワーク経由のＦＡＸ送受信中に（Ｓ９１）、公衆回線経由で音声通話要求が送られてきた場合（Ｓ９２）、まず、アダプタ２０の電話端末Ｉ／Ｆ５に接続された電話端末が未使用状態であることを、オンフックであることを検出することにより確認する（Ｓ９３）。
【００６８】
電話端末がオフフックで使用中であった場合（Ｓ９３でＮｏ）、話し中を示す音声信号を発信し、処理を終える（Ｓ９６）。
電話端末がオンフックで未使用の場合（Ｓ９３でＹｅｓ）、まず、セレクタ１３により電話端末Ｉ／Ｆ５と公衆回線Ｉ／Ｆ４を接続状態とする（Ｓ９４）。
【００６９】
以後、相手先電話端末と電話端末Ｉ／Ｆ５に接続された電話端末との間で双方向通話を行なう（Ｓ９５）。このときのセレクタ１３の接続状態を図１３に示す。
以上の処理により、ＦＡＸ端末によるＩＰネットワーク経由のＦＡＸ送受信中に、公衆回線経由での音声通話を可能とする。
【００７０】
このＦＡＸ端末によるＩＰネットワーク経由のＦＡＸ送受信中に（Ｓ９１）、ＩＰネットワーク経由で相手先アダプタよりＦＡＸ送信要求が送られてきた場合、アダプタ２０のＦＡＸ端末は使用中であるため、相手先アダプタにビジーステータスを返し、現在、使用中であることを伝え、相手先アダプタは、接続されたＦＡＸ端末に対し話し中を示す音声信号を発信し、処理を終える。
【００７１】
ＦＡＸ端末による公衆回線経由のＦＡＸ送信中に（Ｓ８１）、本アダプタに接続された音声通話を開始する場合を図１４を用いて説明する。
まず、オフフック状態になることを監視することで、電話端末から音声通話が開始されることを検出する（Ｓ１２１）。
次に、電話端末で相手先電話番号が発呼される。このとき、発呼された電話端末からの電話番号（Ｓ１２２）と、予めメモリ２に登録された電話番号（Ｓ１２３）とを比較する（Ｓ１２４）。メモリ２に登録されている電話番号は、ＬＡＮ経由で通話可能な電話番号である。
比較の結果、今回発信に使用された電話番号がメモリ２に登録された電話番号と一致しなかった場合（Ｓ１２５でＮｏ）、電話端末に話し中を示す音声信号を発信し（Ｓ１２６）、処理を終える。
【００７２】
また、比較の結果、メモリ２に登録された電話番号と一致した場合（Ｓ１２５でＹｅｓ）、セレクタ１３を電話端末Ｉ／Ｆ５とアナログＩ／Ｆ８との接続状態に切替える（Ｓ１２８）。
その後、ＩＰネットワークＩ／Ｆ３に接続されたＩＰネットワーク経由での音声通話を可能とするためにＬＡＮコントローラ７を制御し、通信を確立する（Ｓ１２９）。
メモリ２内には、電話番号に対応するＩＰアドレスが登録されており（Ｓ１２７）、相手先ＩＰアドレスに存在するもう１台のアダプタ２０との間で通信が確立され（Ｓ１２９）、音声通話が可能となる（Ｓ１３０）。
【００７３】
ＦＡＸ端末によるＩＰネットワーク経由のＦＡＸ送信中に、本アダプタに接続された電話端末より送信する場合（Ｓ９１）を図１５を用いて説明する。
まず、オフフック状態になることを監視することで、電話端末から音声通話が開始されることを検出する（Ｓ１３１）。
次に、電話端末で相手先電話番号が発呼される。発呼された電話端末からの電話番号（Ｓ１３２）と、予めメモリ２に登録された電話番号（Ｓ１３３）とを比較し（Ｓ１１４）、比較の結果、メモリ２に登録された電話番号と一致した場合（Ｓ１３５でＹｅｓ）、電話端末に話し中を示す音声信号を発信し（Ｓ１３６）、処理を終える。
また、比較の結果、メモリ２に登録された電話番号と一致しなかった場合（Ｓ１３５でＮｏ）、公衆回線経由で音声通話を可能とする（Ｓ１３７）。
【００７４】
また、ＦＡＸ端末でＦＡＸ送信中でない場合に音声通話を受信する場合（公衆回線、ＩＰネットワークともに未使用の場合）は、図１０のＳ８２〜Ｓ８８または図１１のＳ９２〜Ｓ９６と同様の手順によって相手先からの音声通話を受信することができる。
【００７５】
【発明の効果】
この発明によれば、公衆回線経由で電話端末によって通信中に、ＦＡＸ端末を使用して通信することができる。
【００７６】
この発明によれば、公衆回線経由でＦＡＸ端末によって通信中に、電話端末を使用して通信することができる。
【００７７】
この発明によれば、ＩＰネットワーク経由で電話端末によって通信中に、ＦＡＸ端末を使用して通信することができる。
【００７８】
この発明によれば、ＩＰネットワーク経由でＦＡＸ端末によって通信中に、電話端末を使用して通信することができる。
【図面の簡単な説明】
【図１】  この実施の形態のアダプタの構成の一例を表わす図。
【図２】  この実施の形態のアダプタに接続された電話端末によって発信する場合の一例を表わすフローチャート図。
【図３】  公衆回線を介して電話端末で通話中にＦＡＸ送信要求を受信した場合の一例を表わすフローチャート図。
【図４】  公衆回線を介して電話端末で通話中にＦＡＸ送受信する場合のセレクタの接続状態を表わす図。
【図５】  ＩＰネットワークを介して電話端末で通話中にＦＡＸ送信要求を受信した場合の一例を表わすフローチャート図。
【図６】  ＩＰネットワークを介して電話端末で通話中にＦＡＸ送受信する場合のセレクタの接続状態を表わす図。
【図７】  公衆回線を介して電話端末で通話中にＦＡＸ送信する場合の一例を表わすフローチャート図。
【図８】  ＩＰネットワークを介して電話端末で通話中にＦＡＸ送信する場合の一例を表わすフローチャート図。
【図９】  この実施の形態のアダプタに接続されたＦＡＸ端末によって発信する場合の一例を表わすフローチャート図。
【図１０】  公衆回線を介してＦＡＸ端末で通信中に音声通話要求を受信した場合の一例を表わすフローチャート図。
【図１１】  公衆回線を介してＦＡＸ端末で通信中に音声通話する場合のセレクタの接続状態を表わす図。
【図１２】  ＩＰネットワークを介してＦＡＸ端末で通信中に音声通話要求を受信した場合の一例を表わすフローチャート図。
【図１３】  ＩＰネットワークを介してＦＡＸ端末で通信中に音声通話要求を受信する場合のセレクタの接続状態を表わす図。
【図１４】  公衆回線を介してＦＡＸ端末で通信中に音声通話する場合の一例を表わすフローチャート図。
【図１５】  ＩＰネットワークを介してＦＡＸ端末で通信中に音声通話する場合の一例を表わすフローチャート図。
【図１６】  従来のアダプタの構成の一例を表わす図。
【符号の説明】
１  制御部（ＣＰＵ）、２  メモリ、３  ＩＰネットワークＩ／Ｆ（第二の通信回線インタフェース）、４  公衆回線Ｉ／Ｆ（第一の通信回線インタフェース）、５  電話端末Ｉ／Ｆ（電話端末インタフェース）、５ｐ  電話／ＦＡＸ端末Ｉ／Ｆ（ファックス端末インタフェース）、６  ＦＡＸ端末Ｉ／Ｆ、７  ＬＡＮコントローラ、８  アナログＩ／Ｆ、１０  コーディック、１２  ＤＳＰ、１３，１３ｐ  セレクタ、２０，２０ｐ  アダプタ。
【図１】
0004169900.tif 000002
【図２】
0004169900.tif 000003
【図３】
0004169900.tif 000004
【図４】
0004169900.tif 000005
【図５】
0004169900.tif 000006
【図６】
0004169900.tif 000007
【図７】
0004169900.tif 000008
【図８】
0004169900.tif 000009
【図９】
0004169900.tif 000010
【図１０】
0004169900.tif 000011
【図１１】
0004169900.tif 000012
【図１２】
0004169900.tif 000013
【図１３】
0004169900.tif 000014
【図１４】
0004169900.tif 000015
【図１５】
0004169900.tif 000016
【図１６】
0004169900.tif 000017